【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
点字打刻を行うための複数の情報から、前記情報を順次読み出す情報読み出しステップと、
読み出した前記情報を点字パターンに変換する変換ステップと、
前記点字パターンを、点字が打刻される点字シートのイメージ上に配置されるオブジェクト枠に、前記情報の読み出し毎にインポートするインポートステップと、を実行することを特徴とする点字レイアウトの作成方法。
【請求項２】
前記オブジェクト枠にインポートされた点字パターンに基づいて点字打刻を行う打刻ステップをさらに実行し、
前記情報読み出しステップでは、前記打刻ステップによる点字打刻毎に、前記情報を順次読み出すことを特徴とする請求項１に記載の点字レイアウトの作成方法。
【請求項３】
前記情報は、テキストデータとして入力された原文情報であり、
前記変換ステップでは、読み出した前記情報を、点字表記に従って点訳情報に変換し、さらに当該点訳情報を前記点字パターンに変換することを特徴とする請求項１または２に記載の点字レイアウトの作成方法。
【請求項４】
変換した前記点訳情報を編集する編集ステップをさらに実行し、
前記変換ステップでは、編集後の前記点訳情報を前記点字パターンに変換することを特徴とする請求項３に記載の点字レイアウトの作成方法。
【請求項５】
前記オブジェクト枠を任意の位置に配置する配置ステップをさらに実行することを特徴とする請求項１ないし４のいずれか１項に記載の点字レイアウトの作成方法。
【請求項６】
点字が打刻される点字シートのイメージ、並びに当該点字シートのイメージ上に配置されるオブジェクト枠を表示するレイアウト表示手段と、
点字打刻を行うための複数の情報を表示するリスト表示手段と、
前記複数の情報を順次読み出す情報読み出し手段と、
読み出した前記情報を点字パターンに変換する変換手段と、
前記情報読み出し手段による情報読み出し毎に、変換した前記点字パターンを、前記オブジェクト枠にインポートするインポート手段と、を備えたことを特徴とする点字レイアウト作成システム。
【請求項７】
前記情報をドラッグ＆ドロップすることにより、前記点字シートのイメージ上に前記オブジェクト枠を配置する配置手段をさらに備えたことを特徴とする請求項６に記載の点字レイアウト作成システム。
【請求項８】
コンピュータを、請求項６または７に記載の点字レイアウト作成システムにおける各手段として機能させるためのプログラム。
【請求項９】
請求項８に記載のプログラムを記録したコンピュータ読み取り可能な記録媒体。
【手続補正２】
【補正対象書類名】明細書
【補正対象項目名】０００６
【補正方法】変更
【補正の内容】
【０００６】
本発明の点字レイアウトの作成方法は、点字打刻を行うための複数の情報から、情報を順次読み出す情報読み出しステップと、読み出した情報を点字パターンに変換する変換ステップと、点字パターンを、点字が打刻される点字シートのイメージ上に配置されるオブジェクト枠に、情報の読み出し毎にインポートするインポートステップと、を実行することを特徴とする。
【手続補正３】
【補正対象書類名】明細書
【補正対象項目名】０００７
【補正方法】変更
【補正の内容】
【０００７】
また、本発明の点字レイアウト作成システムは、点字が打刻される点字シートのイメージ、並びに当該点字シートのイメージ上に配置されるオブジェクト枠を表示するレイアウト表示手段と、点字打刻を行うための複数の情報を表示するリスト表示手段と、情報を順次読み出す情報読み出し手段と、読み出した情報を点字パターンに変換する変換手段と、情報読み出し手段による情報読み出し毎に、変換した前記点字パターンを、オブジェクト枠にインポートするインポート手段と、を備えたことを特徴とする。
【手続補正４】
【補正対象書類名】明細書
【補正対象項目名】０００８
【補正方法】変更
【補正の内容】
【０００８】
これらの構成によれば、複数の情報を順次読み出して、これを点字パターンに変換し、点字シートのイメージ上に配置されるオブジェクト枠にインポートするため、複数の情報を入力しておくことで、多数の点字成果物を迅速且つ容易に作成することができる。すなわち、複数の情報を順次インクリメントして、オブジェクト枠内にインポートする、いわゆる流し込みを行うことで、点字パターンを順次変化させた点字成果物を容易に作成することができる。なお、「点字パターン」とは、点字を構成する複数の打刻ポイントの打刻／非打刻を示す情報を指すものである。
【手続補正５】
【補正対象書類名】明細書
【補正対象項目名】０００９
【補正方法】変更
【補正の内容】
【０００９】
上記の点字レイアウトの作成方法において、オブジェクト枠にインポートされた点字パターンに基づいて点字打刻を行う打刻ステップをさらに実行し、情報読み出しステップでは、打刻ステップによる点字打刻毎に、情報を順次読み出すことが好ましい。
【手続補正６】
【補正対象書類名】明細書
【補正対象項目名】００１０
【補正方法】変更
【補正の内容】
【００１０】
この構成によれば、点字打刻毎に、情報を順次読み出すため、ユーザが情報を読み出すためのトリガとなる操作をする必要がない。つまり、打刻指示のみの操作で、内容の異なる多数の点字成果物を作成することができる。
【手続補正７】
【補正対象書類名】明細書
【補正対象項目名】００１１
【補正方法】変更
【補正の内容】
【００１１】
上記の点字レイアウトの作成方法において、情報は、テキストデータとして入力された原文情報であり、変換ステップでは、読み出した原文情報を、点字表記に従って点訳情報に変換し、さらに当該点訳情報を点字パターンに変換することが好ましい。
【手続補正８】
【補正対象書類名】明細書
【補正対象項目名】００１２
【補正方法】変更
【補正の内容】
【００１２】
この構成によれば、テキストデータである原文情報を入力しておくことで、点字表記に従って（点字変換規則に基づいて）点訳情報（点字文書）に変換し、さらに当該点訳情報を点字パターンに変換するため、点訳の知識が無いユーザでも、容易に点字パターンを作成することができる。また、点訳の知識を有するユーザでも、点訳情報ではなく、原文情報を入力するだけでよいので、点訳の手間を省くことができる。
【手続補正９】
【補正対象書類名】明細書
【補正対象項目名】００１７
【補正方法】変更
【補正の内容】
【００１７】
上記の点字レイアウト作成システムにおいて、情報をドラッグ＆ドロップすることにより、点字シートのイメージ上にオブジェクト枠を配置する配置手段をさらに備えたことが好ましい。
【手続補正１０】
【補正対象書類名】明細書
【補正対象項目名】００２３
【補正方法】変更
【補正の内容】
【００２３】
図１は、ラベル作成システムＳＹＳのシステム構成図である。図１に示すように、ラベル作成システムＳＹＳは、テープＴ上に墨字印刷および点字打刻を行うラベル作成装置１と、墨字印刷および点字打刻を行うための墨字データおよび点字データを生成し、これをラベル作成装置１に転送するパーソナルコンピュータ（以下、「ＰＣ」と表記する）５０１とから成る。
【手続補正１１】
【補正対象書類名】明細書
【補正対象項目名】００３９
【補正方法】変更
【補正の内容】
【００３９】
ここで、図４を参照し、テープＴ（Ｔ３：テープ幅１２ｍｍ）上に形成される点字Ｂ（６点点字Ｂ）について説明する。図４（ａ）は、文字情報「し」を表す点字（点字データ）Ｂを示す図である。図４（ａ）に示すように、６点点字Ｂは、縦３個×横２個の６個の点（打刻ポイント）で１マス２００が構成され、当該１マス２００で、１文字または濁点等の属性が表現される。すなわち、縦３個の打刻列が２列以上配列されて点字配列が形成される。なお、点字Ｂには、このような仮名文字や数字等を表す６点点字Ｂの他、漢字を表す８点点字（１マスが縦４個×横２個の点で構成される点字）も使用されているが、８点点字を形成するラベル作成装置においても本発明は当然適用可能である。
【手続補正１２】
【補正対象書類名】明細書
【補正対象項目名】００４０
【補正方法】変更
【補正の内容】
【００４０】
６点点字Ｂは、１マス２００が縦３個×横２個の配置パターンで６個の打刻ポイント２０１ａ〜２０１ｆに分割されており、図４（ａ）では、６個の打刻ポイント２０１ａ〜２０１ｆのうち４個の打刻ポイント２０１ａ，２０１ｂ，２０１ｅ，２０１ｆが選択的に打刻されて、テープＴ上に４個の打刻凸部２０２ａ，２０２ｂ，２０２ｅ，２０２ｆが形成されている様子を示している。また、６個の打刻凸部２０２は、縦方向のピッチが略２．４ｍｍ、横方向のピッチが略２．４ｍｍ、隣接マスの点までの（マス間）ピッチは略３．２ｍｍとなっている。
【手続補正１３】
【補正対象書類名】明細書
【補正対象項目名】００４１
【補正方法】変更
【補正の内容】
【００４１】
図４（ｂ）は、打刻凸部２０２の断面形状である。図４（ｂ）に示すように、打刻凸部２０２の形状は、角の丸まった円筒形である。なお、打刻凸部２０２の形状は、角の丸まった円筒形のものが良い（触感が良く好ましい）とされているが、他の形状、例えば半球形、円錐形、四角錐形等であってもよい。
【手続補正１４】
【補正対象書類名】明細書
【補正対象項目名】００４３
【補正方法】変更
【補正の内容】
【００４３】
次に、図５を参照し、打刻ユニット８０の詳細な構成について説明する。図５（ａ）は打刻ユニット８０を図１における上側から見た平面図であり、図５（ｂ）は打刻ユニット８０の断面図である。図５（ａ）は、墨字印刷後のテープＴ（テープ幅１２ｍｍ）が、打刻テープ挿入口３１から手差し挿入によりテープ走行路７０に送り込まれ、打刻テープ排出口３２に向かってテープＴが送られてゆく状態を示したものである。
【手続補正１５】
【補正対象書類名】明細書
【補正対象項目名】００４４
【補正方法】変更
【補正の内容】
【００４４】
図５に示すとおり、打刻ユニット８０は、３個の打刻ピン４１を備えた打刻部材８１と、これら打刻ピン４１の突き上げ（打刻）を受ける打刻受け部材８２とを備えており、打刻受け部材８２の背面には、耐衝撃用のばね（図示省略）が組み込まれている。
【手続補正１６】
【補正対象書類名】明細書
【補正対象項目名】００４５
【補正方法】変更
【補正の内容】
【００４５】
打刻部材８１は、テープ幅方向（図示左右方向）に沿って、２．４ｍｍの間隔で配列された３個の打刻ピン４１を備えており、６個の打刻ポイント２０１のうち縦３個の打刻ポイント２０１に対応していると共に、ソレノイド４７を駆動源とした直線運動をガイドする打刻ピンガイド４５によって、テープＴに対し垂直に保持されている。打刻ピン４１の頭部４１ａは、打刻した打刻凸部２０２の形状が角の丸まった円筒形となるように形成されている。
【手続補正１７】
【補正対象書類名】明細書
【補正対象項目名】００５３
【補正方法】変更
【補正の内容】
【００５３】
ところで、図６に示すように、テープＴには、墨字印刷部１２０において、打刻テープ挿入口３１への挿入方向（テープ走行路７０への導入方向）を示す挿入マークＭ１と、テープＴの上下（墨字Ｐおよび点字配列の上下と一致する）を示す上下マークＭ２とが、墨字印刷部１２０により印刷される（テープＴ３参照）。また、これらのマークＭ１，Ｍ２は、ラベル領域（ハーフカット線からテープ後端側の領域）の視認性を損ねることがないように、テープ先端部のハーフカット領域（ハーフカット線からテープ先端側の領域）に印刷される。
【手続補正１８】
【補正対象書類名】明細書
【補正対象項目名】００６２
【補正方法】変更
【補正の内容】
【００６２】
墨字ラベルＬＢ１を作成する場合（ＰＣ５０１から受信したデータが、墨字データのみの場合）は、図８（ａ）に示すとおり、まずテープカートリッジＣを装着し（１）、装着されたテープカートリッジＣから墨字印刷部１２０へ送り出されたテープＴ上に、ＰＣ５０１から受信した墨字データに基づいて墨字Ｐを印刷し（２）、印刷済みのテープＴ（墨字ラベルＬＢ１）を排出する。作成された墨字ラベルＬＢ１には、工程（２）に伴ってその先端部にハーフカットが施されるが、挿入マークＭ１や上下マークＭ２（図６参照）は印刷されない。なお、墨字ラベルＬＢ１を作成する場合は、ハーフカットを行うか否かを指定する手段をＰＣ５０１またはラベル作成装置１に設けても良い。
【手続補正１９】
【補正対象書類名】明細書
【補正対象項目名】００６３
【補正方法】変更
【補正の内容】
【００６３】
一方、点字ラベルを作成する場合（ＰＣ５０１から受信したデータに、点字データが含まれている場合）は、図８（ｂ）に示すとおり、テープカートリッジＣを装着し（１）、装着されたテープカートリッジＣから繰り出されたテープＴが墨字印刷部１２０へ送られることによって墨字Ｐを印刷し（２）、印刷済みのテープＴを排出する。このとき、墨字印刷部１２０では、ハーフカット領域に、挿入マークＭ１および上下マークＭ２を印刷すると共に、ハーフカットを施す（図６参照）。さらに、墨字印刷後のテープＴが、挿入マークＭ１に従って手差し挿入され（２）、点字打刻部１５０へ送られると、当該テープＴに、ＰＣ５０１から受信した点字データに基づいて点字Ｂを打刻する（４）。作成された点字ラベルＬＢ２は、墨字Ｐが印刷されると共に点字Ｂが打刻されており、上下マークＭ２に従って貼着対象物に貼着されることにより利用される。
【手続補正２０】
【補正対象書類名】明細書
【補正対象項目名】００６７
【補正方法】変更
【補正の内容】
【００６７】
図９（ａ）に示すように、テープ識別センサ１７１（図７参照）によるテープ幅の検出結果が２４ｍｍ（テープＴ１）の場合、点字打刻領域Ｅｂは下段（ａ―１）、または上段（ａ―２）の配置が設定可能となっている。ＰＣ５０１はこの点字位置（下点字または上点字）を示すデータ（コマンド）を点字データに含めてラベル作成装置１に送信し、ラベル作成装置１は、その点字位置を示すデータに基づいて、点字位置を判断する。そして、点字打刻領域Ｅｂが下段（ａ―１）に設定されている場合（下点字と判断した場合）、墨字印刷データブロック２３２内の墨字印刷データおよび点字打刻データブロック２３３内の点字打刻データを読み出して、正方向で印刷／打刻する（墨字印刷データおよび点字打刻データの先端側から印刷／打刻を行う）。また、点字打刻領域Ｅｂが上段（ａ―２）に設定されている場合（上点字と判断した場合）、墨字印刷データブロック２３２内の墨字印刷データおよび点字打刻データブロック２３３内の点字打刻データを後端側から読み出して（反転処理して）印刷する（墨字印刷データおよび点字打刻データを１８０°回転させた反転墨字Ｐ’および反転点字Ｂ’を印刷／打刻する）。これは、打刻ユニット８０がテープ走行路７０の下側に寄った位置に臨んでいるため（図６参照）、テープＴの上側に寄せて点字打刻を行う場合（上点字の場合）は、点字打刻領域Ｅｂが打刻ユニット８０に臨むようにテープＴが後端側（墨字Ｐおよび点字配列によって上下を規定した場合の右側）から挿入されるためである（（ａ−２：上点字）参照）。
【手続補正２１】
【補正対象書類名】明細書
【補正対象項目名】００６８
【補正方法】変更
【補正の内容】
【００６８】
また、図９（ｂ）に示すように、テープ幅の検出結果が１８ｍｍ（テープＴ２）の場合も、点字打刻領域Ｅｂは下段（ｂ―１）、または上段（ｂ―２）のいずれかが設定可能である。また、この場合も、下点字（ｂ―１）に設定されている場合は墨字印刷データおよび点字打刻データを正方向で印刷／打刻し、上点字（ｂ―２）に設定された場合は墨字印刷データおよび点字打刻データを１８０°回転させた状態で印刷／打刻する。
【手続補正２２】
【補正対象書類名】明細書
【補正対象項目名】００６９
【補正方法】変更
【補正の内容】
【００６９】
また、図９（ｃ）に示すように、テープ幅の検出結果が１２ｍｍ（テープＴ３）の場合は、テープ幅が点字１マス２００の大きさ（テープ幅方向長さ）を打刻可能な最低の長さであるため（図４（ａ）参照）、点字打刻領域Ｅｂの配置は、上下中央となる。すなわち、ＰＣ５０１によるレイアウト作成処理では、テープ幅を１２ｍｍに設定した場合、点字打刻領域Ｅｂのテープ幅方向における配置は固定される(上点字、下点字の選択はできない)。したがって、テープ幅の検出結果が１２ｍｍの場合は、必ず墨字印刷データおよび点字打刻データを正方向で印刷／打刻することとなる。
【手続補正２３】
【補正対象書類名】明細書
【補正対象項目名】００８２
【補正方法】変更
【補正の内容】
【００８２】
図１１（ａ）に示すとおり、有効形成領域Ｚ１０は、テープイメージＴＩからテープ幅方向において上下ｅだけ離間した辺と、テープイメージＴＩからテープ長方向においてｆずつ離間した辺とから成る長方形であり、当該ｅおよびｆの長さは、印刷機構や送り機構等によって定められる値である。なお、この初期画面で表示されるテープイメージＴＩおよび有効形成領域Ｚ１０は、テープ幅に応じて予め定められている所定サイズであるが、オブジェクト枠（墨字オブジェクトＯＢ１や点字オブジェクトＯＢ２の流し込み枠）の大きさや配置によって可変する。
【手続補正２４】
【補正対象書類名】明細書
【補正対象項目名】００８３
【補正方法】変更
【補正の内容】
【００８３】
図１１（ａ）において、ウィンドウメニューＭ１の中から「データ作成ウィンドウを開く」が選択されると、図１１（ｂ）に示すように、レイアウトウィンドウＷ１と並べてリストウィンドウＷ２を表示する。ここでは、ディスプレイＤの左半分の領域にレイアウトウィンドウＷ１を、またディスプレイＤの右半分の領域にリストウィンドウＷ２を表示する。なお、これらの領域はユーザの操作によってその割合を変更可能となっている。また、ウィンドウＷ１，Ｗ２毎にデータ保存ができるようになっている。
【手続補正２５】
【補正対象書類名】明細書
【補正対象項目名】００８４
【補正方法】変更
【補正の内容】
【００８４】
また、図１１（ｂ）に示すように、リストウィンドウＷ２には、Ａ列およびＢ列のセル内に、それぞれ墨字情報および原文情報が入力される。なお、Ａ列とＢ列に入力される情報は関連性が無くても良いし、同じ列に入力された情報を、墨字情報および原文情報として利用しても良い。また、５行目に行番号「５」に付されているアスタリスクは、その行のセルに入力された原文情報（Ｂ列の「10500円（税込）」）が、点字オブジェクトＯＢ２への流し込み対象となっていることを示している。また、同セルが太枠で囲まれているのは、そのセルが編集対象セルであることを示している。
【手続補正２６】
【補正対象書類名】明細書
【補正対象項目名】００８５
【補正方法】変更
【補正の内容】
【００８５】
リストウィンドウＷ２への入力が終わると、続いて図１２（ａ）に示すように、点字属性ダイアログボックスＤＢ（図１２（ｂ）参照）を表示させるため、編集メニューＭ２の中から「列属性」―「点字」が選択される。なお、ここで「点字」以外の「テキスト」，「イメージ」，「バーコード」等が選択された場合は、墨字オブジェクトＯＢ１に流し込む列が指定されることとなる。また、「バーコード」が選択された場合は、指定された列をバーコード化したバーコード画像を墨字オブジェクトＯＢ１に流し込むこととなる。
【手続補正２７】
【補正対象書類名】明細書
【補正対象項目名】００８６
【補正方法】変更
【補正の内容】
【００８６】
図１２（ｂ）に示すように、点字属性ダイアログボックスＤＢでは、原文情報を列記した「入力列」と、その原文情報を点訳した点訳情報を列記する「点訳列」を指定可能となっている。ここでは、Ｂ列に原文情報が入力されているため（図１１（ｂ）参照）、入力列がＢ列に指定され、点訳列がその隣のＣ列に指定された場合を例示している。
【手続補正２８】
【補正対象書類名】明細書
【補正対象項目名】００８８
【補正方法】変更
【補正の内容】
【００８８】
一方、メッセージボックスＭＢ１で、「はい」が選択された場合は、点訳情報を上書きする前に、点訳すると打刻可能な文字数を超えるか否かを判別し、打刻可能な文字数を超える場合は、図１４（ｂ）に示すように、点訳されずに空白になる列が存在する旨のメッセージボックスＭＢ２を表示する。ここで、「打刻可能な文字数」とは、打刻ユニット８０を駆動するソレノイド４７（図５参照）の正常な駆動が保証されている連続打刻文字数の上限を指すものであり、具体的には５０字程度に設定される。このメッセージボックスＭＢ２で、「いいえ」が選択されると、点訳情報の上書きを中止する。
【手続補正２９】
【補正対象書類名】明細書
【補正対象項目名】００８９
【補正方法】変更
【補正の内容】
【００８９】
一方、メッセージボックスＭＢ２で、「はい」が選択された場合は、さらにレイアウトウィンドウＷ１上に点字オブジェクトＯＢ２が存在するか否かを判別し、存在する場合は、図１４（ｃ）に示すように、現存するテープ上の点字オブジェクトＯＢ２（流し込み枠）を削除する旨のメッセージボックスＭＢ３を表示する。これは、１つのテープイメージＴＩ上における点字オブジェクトＯＢ２の配置を１個に制限しているためである。このメッセージボックスＭＢ３で、「いいえ」が選択されると、再度点字属性ダイアログボックスＤＢを表示する。
【手続補正３０】
【補正対象書類名】明細書
【補正対象項目名】００９０
【補正方法】変更
【補正の内容】
【００９０】
一方、メッセージボックスＭＢ３で、「はい」が選択された場合は、テープイメージＴＩ上の既存の点字オブジェクトＯＢ２を削除し、Ｃ列に点訳情報を入力する（図１３（ａ）参照）。なお、同図は、Ｃ列に点訳情報が入力され、さらにレイアウトウィンドウＷ１に点字パターンの流し込みが行われた状態を示しているが、点訳情報への変換を行った直後のレイアウトウィンドウＷ１は、図１１（ｂ）のままである（点字オブジェクトＯＢ２は表示されない）。点訳情報の変換は、図１３（ａ）および（ｂ）に示すように、点字変換規則（分かち書き規則）に従って、例えば原文情報「1050円（税込）」は点訳情報「１０５０＿エン（ゼイコミ）」に、また原文情報「10500円（税込）」は点訳情報「１マン
５００＿エン（ゼイコミ）」に変換される。なお、入力された点訳情報は、リストウィンドウＷ２上において適宜修正可能となっている。
【手続補正３１】
【補正対象書類名】明細書
【補正対象項目名】００９１
【補正方法】変更
【補正の内容】
【００９１】
続いて、図１３（ａ）の画面における、点字パターンの流し込みおよび配置について説明する。点字パターンの配置は、Ｂ列（原文情報の列）の列属性ボタンＢＴ１またはＣ列（点訳情報の列）の列属性ボタンＢＴ２をクリック／ドラッグして（移動手段）、テープイメージＴＩ上にドロップすることにより行われる（配置手段）。このとき、Ｂ列の指定されたセル（アスタリスクの付いた行に該当するセル）の情報を読み出し（情報読み出し手段）、点字オブジェクトＯＢ２には、当該原文情報に対応する（アスタリスクの付いた行の）点訳情報（「１マン  ５００＿エン（ゼイコミ）」）を変換した点字パターンが展開される（変換手段）。また、流し込みにより、ラベル作成装置１への情報送信（点字打刻指示）に伴って、セルの行番号順に読み出す情報が変化し、その変化する情報に従って印刷される点字パターンも変化する（インポート手段）。したがって、ユーザは墨字印刷および／または点字打刻の指示を行うだけで、続いて印刷／打刻する情報を指定することなく、内容の異なる点字ラベルを作成することができる。なお、点訳情報の修正が行われた場合は、その修正後の点訳情報に基づく点字パターンが展開される。
【手続補正３２】
【補正対象書類名】明細書
【補正対象項目名】００９４
【補正方法】変更
【補正の内容】
【００９４】
一方、点字オブジェクトＯＢ２の左辺は、有効形成領域Ｚ１０の左辺と重なっている。これは、前余白を最小限にしたい場合の配置である。また、点字オブジェクトＯＢ２の枠は、流し込まれるデータ（点字パターンのマス数）によって、その全体を表示できるように長さが可変する。さらに、図１３（ｂ）に示すように、テープイメージＴＩおよび有効形成領域Ｚ１０のテープ長方向の長さは、点字オブジェクトＯＢ２の長さおよび配置によって可変する。すなわち、点字パターンのインポートを行った時点で、その点字パターンのマス数に応じた長さに点字オブジェクトＯＢ２の枠の長さを変更し、さらにこの変更に伴ってテープイメージＴＩおよび有効形成領域Ｚ１０のテープ長方向の長さも変更する。なお、点字オブジェクトＯＢ２の枠の可変処理については後に詳述する（図１５参照）。
【手続補正３３】
【補正対象書類名】明細書
【補正対象項目名】００９８
【補正方法】変更
【補正の内容】
【００９８】
ここで、図１５を参照し、点字オブジェクト枠の可変処理について詳細に説明する。図１５（ａ）および（ｂ）は、テープイメージＴＩの上段に、墨字オブジェクトＯＢ１と通常テキストＴＸ１を配置し、テープイメージＴＩの下段に点字オブジェクトＯＢ２と通常テキストＴＸ２を配置した場合の一例を示している。なお、ここでは、通常テキストＴＸ２をテープの右下付近に配置すべく（また点字オブジェクトＯＢ２の配置も考慮し）、予めテープイメージＴＩを、図１５（ａ）に示すようにテープ幅方向に広げた状態で点字オブジェクト枠へのインポートを行ったものとする。また、図１５（ａ）は、原文情報「1050円（税込）」の点訳パターン（点訳情報「１０５０＿エン（ゼイコミ）」）のインポートを行った場合、図１５（ｂ）は、原文情報「10500円（税込）」の点訳パターン（点訳情報「１マン  ５００＿エン（ゼイコミ）」）のインポートを行った場合を示している。
【手続補正３４】
【補正対象書類名】明細書
【補正対象項目名】００９９
【補正方法】変更
【補正の内容】
【００９９】
図１５（ａ）に示すように、点訳情報「１０５０＿エン（ゼイコミ）」の点訳パターンをインポートした場合、点字オブジェクトＯＢ２は、通常テキストＴＸ２とは重なっていない。ところが、図１５（ｂ）に示すように、点訳情報「１マン  ５００＿エン（ゼイコミ）」の点訳パターンをインポートした場合は、点字マス数の増加（４マス分）により、点字オブジェクトＯＢ２の枠が広がり、点字オブジェクトＯＢ２の後端側が通常テキストＴＸ２と重なっている。このように、点字オブジェクトＯＢ２枠は点字パターン（流し込みデータ）によってその長さが可変するため、図１５（ｂ）のようなレイアウトの場合、通常テキストＴＸ２と重なってしまうこともあるが、重記した情報が点字Ｂと墨字Ｐであるため重なっても成果物には問題はない。しかも、テープＴを有効利用できるという利点もある。
【手続補正３５】
【補正対象書類名】明細書
【補正対象項目名】０１００
【補正方法】変更
【補正の内容】
【０１００】
ところで、図１５（ｂ）に示すように、テープイメージＴＩの後端は、点字オブジェクトＯＢ２の後端（右辺）から所定の余白（下点字配置時の後打刻余白ｄ２，図１７参照）を存した位置でカットされるように表示される。これは、点字打刻の際のテープ送りのずれを考慮したものであり、自動的に設定される余白である。したがって、ユーザが編集によりこれ以上テープ長を短く設定することはできない。なお、図１５（ａ）の場合は、点字オブジェクトＯＢ２の後端（右辺）から所定の長さ以上の余白があるため、予めユーザが設定した長さのままとなっている。
【手続補正３６】
【補正対象書類名】明細書
【補正対象項目名】０１０２
【補正方法】変更
【補正の内容】
【０１０２】
一方、墨字オブジェクトＯＢ１の場合、図１５（ａ）では墨字情報「1050」をインポートし、図１５（ｂ）では墨字情報「10500」をインポートしている。このとき、墨字オブジェクトＯＢ１の枠サイズが、墨字情報「1050」に合わせて設定されているとすると、図１５（ｂ）に示すように、墨字情報「10500」は、そのオブジェクトの大きさに合わせて縮小される。これは、墨字オブジェクトＯＢ１の場合、通常テキストＴＸ１（「円（税込価格）」）と重なると、重なり合った部分の墨字の視認性を妨げてしまうためである。
【手続補正３７】
【補正対象書類名】明細書
【補正対象項目名】０１０７
【補正方法】変更
【補正の内容】
【０１０７】
また、墨字オブジェクトＯＢ１の場合は、リストウィンドウＷ２の対象列（Ａ列）の対象セルによってデータが異なる場合でも、配置を保たなければオブジェクト同士が重なるなどの不都合があるため、固定サイズであるが、点字オブジェクトＯＢ２の場合は、１つのみしか存在し得ないこと、また墨字Ｐを印刷するための情報（墨字オブジェクトＯＢ１や通常テキストＴＸ）と重なったとしても点字Ｂの識別が可能であるため、可変長としても問題はなく、容易に配置することができる。しかも、墨字Ｐとの重なりを気にせず、必要最低限のラベル長さの中に効率良く点字オブジェクトＯＢ２を配置することができるといった利点もある。
【手続補正３８】
【補正対象書類名】明細書
【補正対象項目名】０１１３
【補正方法】変更
【補正の内容】
【０１１３】
例えば、図１６（ａ）に示すように、画像ＩＭ１、画像ＩＭ２および通常テキストＴＸ３を配置したテープイメージＴＩ上に、図１６（ｂ）に示すように、点字オブジェクトＯＢ２を配置し、さらに画像ＩＭ２の修正を行いたい場合を想定する。この場合、点字オブジェクトＯＢ２の配置（移動）が有効形成領域Ｚ１０内に限られてしまうと、（１）点字オブジェクトＯＢ２を上に移動するか、（２）点字オブジェクトＯＢ２の重ね順を画像ＩＭ２より下位にしてから、画像ＩＭ２を修正する必要がある。ところが、（１）の場合は、上に配置している通常テキストＴＸ３が隠れてしまうため、全体の構成が確認しづらくなってしまう。また、（２）の場合は、点字パターンが確認できないため、成果物の正当性を判断できない。また、テープ幅が狭い場合は（テープ幅１２ｍｍのテープＴ３など，図６参照）、（１）のように上に移動して配置することもできないため、さらに編集が困難である。
【手続補正３９】
【補正対象書類名】明細書
【補正対象項目名】０１１５
【補正方法】変更
【補正の内容】
【０１１５】
図１７は、テープイメージＴＩ内外における点字オブジェクトＯＢ２の配置制限を説明するための図である。ここでは、図１７（ａ）に示す点字オブジェクトＯＢ２（原文情報「あいう」、点訳情報「アイウ」に基づく点字パターン）を、図１７（ｂ）に示す２４ｍｍ幅のテープＴ１のテープイメージＴＩ上に配置するものとする。また、図１７（ａ）に示すように、点字オブジェクトＯＢ２の大きさは、最上部の打刻ポイント（例えば２０１ａ）の上端から最下部の打刻ポイント（例えば２０１ｃ）の下端までの長さ（テープ幅方向長さａ）と、最初の点字マス２００の打刻ポイント（例えば２０１ａ）の左端から最後の点字マス２００の打刻ポイント（例えば２０１ｄ）の右端までの長さ（テープ長方向長さｂ）とによって規定されるものとする（図４（ａ）参照）。したがって、点字オブジェクトＯＢ２のテープ幅方向長さａは、点字パターン（流し込みデータ，点訳文字数）に依らず固定値となり、テープ長方向長さｂは、点字パターンに応じて可変する可変値となる。
【手続補正４０】
【補正対象書類名】明細書
【補正対象項目名】０１２１
【補正方法】変更
【補正の内容】
【０１２１】
ここで、図１８ないし図２０を参照し、点字オブジェクトＯＢ２の吸着配置について説明する。図１８は、点字オブジェクトＯＢ２を、制限領域Ｚ０外且つ右下側からドラッグされた場合の吸着配置を示したものである。図１８（ａ）に示す位置から点字オブジェクトＯＢ２が制限領域Ｚ０や打刻不可領域Ｚ２１，Ｚ２２上にドロップされると（移動終了位置が制限領域Ｚ０や打刻不可領域Ｚ２１，Ｚ２２上であると）、図１８（ｂ）に示すように、打刻可能領域Ｚ１２の右側に（点字オブジェクトＯＢ２の右辺と打刻可能領域Ｚ１２の右辺とが重なるように）吸着配置される。すなわち、ドロップ位置から直近の打刻可能領域Ｚ１１，Ｚ１２内の位置に点字オブジェクトＯＢ２を配置させる。言い換えれば、点字オブジェクトＯＢ２の配置が禁止された位置から直近に位置する打刻可能領域Ｚ１１，Ｚ１２のアウトラインをガイドとして吸着配置させる。
【手続補正４１】
【補正対象書類名】明細書
【補正対象項目名】０１２３
【補正方法】変更
【補正の内容】
【０１２３】
また、図１９（ａ）に示すように、点字オブジェクトＯＢ２が、制限領域Ｚ０外且つ右上側からドラッグされる場合は、図１９（ｂ）に示すように、打刻可能領域Ｚ１１の右側に（点字オブジェクトＯＢ２の右辺と打刻可能領域Ｚ１１の右辺とが重なるように）吸着配置される。
【手続補正４２】
【補正対象書類名】明細書
【補正対象項目名】０１２４
【補正方法】変更
【補正の内容】
【０１２４】
さらに、図２０（ａ）に示すように、点字オブジェクトＯＢ２が、制限領域Ｚ０外且つ中央下側からドラッグされる場合は、図２０（ｂ）に示すように、テープ長方向（左右方向）の位置はドロップ位置のままで、そこから直近の打刻可能領域Ｚ１２のアウトラインをガイドとして（点字オブジェクトＯＢ２の下辺と打刻可能領域Ｚ１２の下辺とが重なるように）吸着配置される。